【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
物質試料の構成成分を分離する装置であり、カートリッジを備え、該カートリッジは、互いに直列に流体接続された複数のクロマトグラフィカラムに複数の制御弁を介して流体接続される、少なくとも１つの試料入口ポート、少なくとも１つの樹脂入口ポート、並びに、複数の試薬及びパージ流入口ポートと；複数の出口ポートであって、それぞれ各出口ポートを通過する流体の流れを制御するように適合された出口弁を更に備える複数の出口ポートとを備え、前記複数のクロマトグラフィカラムはそれぞれ、前記複数の出口ポートのいずれかと位置合わせされ、前記カラムからの流体流が該出口ポートを通過することを可能にする装置。
【請求項２】
請求項１に記載の装置であり、前記出口弁は前記出口ポートの上流端に位置することを特徴とする装置。
【請求項３】
請求項１又は２に記載の装置であり、カートリッジを備える前記装置は、複数の異なる層を備えることを特徴とする装置。
【請求項４】
請求項３に記載の装置であり、少なくとも第１の層及び第２の層を備えることを特徴とする装置。
【請求項５】
請求項１〜４のいずれか一項に記載の装置であり、カートリッジを備え、該カートリッジは、
（ａ）第１の層であって、
（ｉ）試料入口ポート、少なくとも１つの樹脂入口ポート、並びに、複数の試薬及びパージ流入口ポートと、
（ｉｉ）互いに直列に流体接続された複数のクロマトグラフィカラムと
を備え、前記（ｉ）は前記（ｉｉ）に複数の制御弁を介して流体接続される、第１の層と；
（ｂ）第２の層であって、複数の出口ポートを備え、該複数の出口ポートはそれぞれ各出口ポートを通過する流体の流れを制御するように適合された出口弁を更に備える又は該出口弁と連動する、第２の層と
を備え、
前記複数のクロマトグラフィカラムはそれぞれ、前記複数の出口ポートのいずれかと位置合わせされ、前記カラムからの流体流が該出口ポートを通過することを可能にする装置。
【請求項６】
請求項１〜５のいずれか一項に記載の装置であり、前記クロマトグラフィカラムは、放射性同位体の分離に適用されるクロマトグラフィ活性樹脂を含むことを特徴とする装置。
【請求項７】
請求項６に記載の装置であり、前記クロマトグラフィ活性樹脂は、イオン交換樹脂、不活性担体に担持されたジペンチルペンチルホスホネートを含む樹脂、不活性担体に担持されたオクチルフェニル−Ｎ，Ｎ−ジ−イソブチルカルバモイルホスフィンオキシド／リン酸トリ−Ｎ−ブチルを含む樹脂、及び不活性担体に担持された４，４’−（５’）−ジ−ｔ−ブチルシクロヘキサノ１８−クラウン−６（クラウンエーテル）／１−オクタノールを含む樹脂のうちから選択されることを特徴とする装置。
【請求項８】
請求項７に記載の装置であり、前記イオン交換樹脂はアニオン交換樹脂を含むことを特徴とする装置。
【請求項９】
請求項１〜８のいずれか一項に記載の装置であり、前記クロマトグラフィカラムは、前記カラムから前記樹脂材料が漏出するのを防止する手段を含み、前記手段は不活性材料のプラグを含み、前記不活性材料のプラグはフリットを含むことを特徴とする装置。
【請求項１０】
請求項１〜９のいずれか一項に記載の装置であり、前記クロマトグラフィカラムは、複数の制御弁によって互いに直列に接続され、前記カラムを通過する流体の流れは、前記制御弁によって制御されることを特徴とする装置。
【請求項１１】
請求項１〜１０のいずれか一項に記載の装置であり、前記制御弁は、前記クロマトグラフィカラムを相互接続して、前記試料が前記各カラムを通過することを可能にし、前記各カラムを切り離して、様々な試薬を使用したカラムの個別処理を可能にするように適合されることを特徴とする装置。
【請求項１２】
請求項１〜１１のいずれか一項に記載の装置であり、前記制御弁は、前記入口ポートを、流体チャネルを介して前記クロマトグラフィカラムに結合し、前記クロマトグラフィカラムを相互接続するように適合されることを特徴とする装置。
【請求項１３】
請求項１〜１２のいずれか一項に記載の装置であり、前記制御弁はメンブレン弁を備えることを特徴とする装置。
【請求項１４】
請求項１〜１３のいずれか一項に記載の装置であり、前記出口ポートを通過する流体の流れを制御するように適合された前記出口弁は、メンブレンを収容するメンブレンチャンバを備えることを特徴とする装置。
【請求項１５】
請求項１４に記載の装置であり、前記出口ポートにおけるメンブレンと協働して流体の流れが前記出口ポートを通過することを可能にするアクチュエータを備えることを特徴とする装置。
【請求項１６】
請求項１〜１５のいずれか一項に記載の装置であり、２〜４０本のクロマトグラフィカラムを備えることを特徴とする装置。
【請求項１７】
請求項１〜１６のいずれか一項に記載の装置であり、２、３、又は４本のクロマトグラフィカラムを備えることを特徴とする装置。
【請求項１８】
物質試料の構成成分を分離するシステムであり、
（ａ）請求項１〜１７のいずれか一項に記載のカートリッジと、
（ｂ）複数の試薬容器と、
（ｃ）複数の回収リザーバと、
（ｄ）試薬の混合及び試薬容器から前記カートリッジへの試薬の制御された移送を行う手段と、
（ｅ）前記カートリッジからの試料の回収を制御する手段と
を備えるシステム。
【請求項１９】
請求項１８に記載のシステムであり、試薬の混合及び試薬容器から前記カートリッジへの試薬の制御された移送を行う前記手段は、ソフトウェアによって制御される弁を備えることを特徴とするシステム。
【請求項２０】
請求項１８又は１９に記載のシステムであり、前記カートリッジからの試料の回収を制御する前記手段は、ソフトウェアを利用して制御される弁を備えることを特徴とするシステム。
【請求項２１】
請求項１８〜２０のいずれか一項に記載のシステムであり、放射性物質試料の分離及び分析に適用されることを特徴とするシステム。
【請求項２２】
請求項２１に記載のシステムであり、前記クロマトグラフィカラムは、イオン交換樹脂、不活性担体に担持されたジペンチルペンチルホスホネートを含む樹脂、不活性担体に担持されたオクチルフェニル−Ｎ，Ｎ−ジ−イソブチルカルバモイルホスフィンオキシド／リン酸トリ−Ｎ−ブチルを含む樹脂、及び不活性担体に担持された４，４’−（５’）−ジ−ｔ−ブチルシクロヘキサノ１８−クラウン−６（クラウンエーテル）／１−オクタノールを含む樹脂のうちから選択される少なくとも一種のクロマトグラフィ活性樹脂を含むことを特徴とするシステム。
【請求項２３】
物質試料の構成成分を分離する方法であり、
（ａ）前記試料を、請求項１〜１７のいずれか一項に記載の装置に入口ポートを介して挿入するステップと、
（ｂ）前記装置を利用して前記試料を処理するステップと、
（ｃ）前記装置の出口ポートから流体を回収するステップと
を含む方法。
【請求項２４】
請求項２３に記載の方法であり、放射性物質試料の分離又は分離及び分析を含むことを特徴とする方法。
【請求項２５】
請求項２３又は２４に記載の方法であり、前記処理するステップは、無機酸、有機酸、無機塩、及びイオン交換水のうちから選択される試薬を使用して前記試料の構成成分のクロマトグラフィ分離を実行するステップを含むことを特徴とする方法。
【請求項２６】
請求項２５に記載の方法であり、前記無機酸は硝酸及び塩酸のうちから選択され、且つ／又は、前記有機酸はシュウ酸であり、且つ／又は、前記無機塩はヨウ化アンモニウムであることを特徴とする方法。
【請求項２７】
請求項２４、２５、又は２６に記載の方法であり、トリウム、プルトニウム、ネプツニウム、テクネチウム、ウラン、アメリシウム／キュリウム、及びストロンチウムを含む構成成分が別々の出力流に含まれるようにする放射性試料の分離を含むことを特徴とする方法。